(57)【要約】【課題】ナット部材を用いてリードスクリュの回転を直線方向の動きに変換してレンズを移動させるレンズ駆動装置であって、部品点数を低減しつつ安定した動作が期待できるレンズ駆動装置を提供する。【解決手段】レンズ駆動装置５０が備えるナット部材３には、リードスクリュ２のネジ部２ａから非ネジ部２ｂへと外れたナット部材３をネジ部２ａに復帰させる弾性部３２が一体成型されている。【選択図】図３
2013025842.tif 000002
【特許請求の範囲】
【請求項１】
リードスクリュの回転を該リードスクリュのネジ部に螺合するナット部材によって直線方向の動きに変換してレンズを移動させるレンズ駆動装置であって、
前記ナット部材には、前記リードスクリュのネジ部から非ネジ部へと外れた前記ナット部材を前記ネジ部に復帰させる弾性部が一体成型されている、レンズ駆動装置。
【請求項２】
前記ナット部材は、前記ネジ部に係合するネジ孔部が形成された板状部と、前記板状部から延び出す延出部と、有し、
前記板状部と前記延出部との接続部分近傍に、くびれ部が形成され、
前記弾性部は、前記延出部が前記くびれ部で前記板状部に対して折り曲げられてなる、請求項１に記載のレンズ駆動装置。
【請求項３】
前記延出部は、延出方向が前記板状部の板状面と略平行な方向であるとともに、前記板状部と略平行な平板形状である、請求項２に記載のレンズ駆動装置。
【請求項４】
前記延出部は、延出方向が前記板状部の板状面と略平行な方向であるとともに、屈曲又は湾曲形状である、請求項２に記載のレンズ駆動装置。
【請求項５】
前記板状部には、前記延出部の折り曲げられた先端側を挿通する貫通孔が形成されている、請求項４に記載のレンズ駆動装置。
【請求項６】
請求項１から５のいずれかに記載のレンズ駆動装置を備える、光ピックアップ。
【請求項７】
光源と、
前記光源から出射される光を光記録媒体の情報記録面に集光する対物レンズと、
前記光源と前記対物レンズとの間の光路中に配置されるコリメートレンズと、を備え、
前記レンズ駆動装置によって前記コリメートレンズの位置が移動される、請求項６に記載の光ピックアップ。
【発明の詳細な説明】
【技術分野】
【０００１】
本発明は、ナット部材を用いてリードスクリュの回転を直線方向の動きに変換してレンズを移動させるレンズ駆動装置に関する。また、本発明は、そのようなレンズ駆動装置を備える光ピックアップに関する。
【背景技術】
【０００２】
従来、例えば光ピックアップ等の光学装置に、ナット部材を用いてリードスクリュの回転を直線方向の動きに変換してレンズを移動させるレンズ駆動装置が備えられている。例えば光ピックアップにおいては、球面収差の補正を行う目的等で、このレンズ駆動装置が使用される（例えば、特許文献１、２参照）。
【０００３】
なお、このレンズ駆動装置が光ピックアップに備えられる場合においては、例えば、コリメートレンズがレンズ駆動装置によって移動される。コリメートレンズの位置が光軸方向に移動されることで、コリメートレンズから出射されて対物レンズに入射する光の収束発散状態が変更される。このために、レンズ駆動装置によるコリメートレンズの駆動によって球面収差の補正を行うことが可能になる。なお、ここでいう対物レンズは、光源から出射された光を光記録媒体の情報記録面に集光するレンズのことで、コリメートレンズは光源と対物レンズとの間の光路中に配置される。
【先行技術文献】
【特許文献】
【０００４】
【特許文献１】特開２００９−１１７０００号公報
【特許文献２】特開２００９−２７７３３０号公報
【発明の概要】
【発明が解決しようとする課題】
【０００５】
図８は、本出願人の先行開発の光ピックアップが備えるレンズ駆動装置１００の構成を示す概略斜視図である。先行開発の光ピックアップのレンズ駆動装置１００は、光ピックアップを構成するベース（図示せず）上に設けられる。なお、光ピックアップを構成するベースには、レンズ駆動装置１００のほか、光源、光学部材、光検出器、対物レンズアクチュエータ、各種の回路基板等が取り付けられる。
【０００６】
図８に示すように、レンズ駆動装置１００は、ステッピングモータ１と、リードスクリュ２と、リードナット３と、レンズホルダ４と、ガイドシャフト５と、与圧バネ６と、リターンスプリング７と、を備える。
【０００７】
ステッピングモータ１は、リードスクリュ２を回転する駆動源である。駆動源としてステッピングモータが用いられることで、リードスクリュ２の回転によって移動するレンズホルダ４（レンズ）の移動量を、ステップ数で管理することが可能になる。なお、レンズ駆動装置１００は、レンズホルダ４が基準位置にあることを検知するフォトインタラプタ（図示せず）を備えている。そして、このフォトインタラプタからの情報とステッピングモータ１のステップ数とから、レンズホルダ４の位置を把握することが可能になっている。
【０００８】
ステッピングモータ１の出力軸に取り付けられる金属製のリードスクリュ２には、螺旋状のネジが切られたネジ部２ａが設けられている。なお、リードスクリュ２の両端部側には螺旋状のネジが切られていない非ネジ部２ｂが存在する。平面視（図８のＸ方向に沿って見た場合を想定）略十字形状に設けられる樹脂製のリードナット３は、その略中央部に、内面にネジが切られた貫通孔を有し、リードスクリュ２のネジ部２ａと螺合する。リードナット３は、レンズホルダ４よりもステッピングモータ１側に配置されている。
【０００９】
なお、リードナット３は、その下部が光ピックアップを構成するベースに設けられるガイド溝（図示せず）に係合するように配置される。このために、リードナット３は、リードスクリュ２が回転しても自身は回転することなく、リードスクリュ２の長手方向（図８のＸ方向）に移動する。
【００１０】
レンズホルダ４は、コリメートレンズを保持するレンズ保持部４ａを有する。また、レンズホルダ４は、リードナット３と当接可能となるように、レンズ保持部４ａから延出する略「く」の字状の延出部４ｂを有する。延出部４ｂには、リードスクリュ２と略平行となるように配置されるガイドシャフト５が挿通される軸受け部４ｃが設けられている。この軸受け部４ｃに挿通されるガイドシャフト５は、リードスクリュ２よりもレンズ保持部４ａ側に位置するように設けられている。
【００１１】
また、レンズホルダ４は、レンズ保持部４ａから延出部４ｂとは反対側に突出するガイド突起４ｄを有する。このガイド突起４ｄは、図９に示すように、ベース１０１（光ピックアップを構成する部材）の壁に設けられるガイド溝８と係合する。なお、図９は、先行開発の光ピックアップが備えるレンズ駆動装置１００における、ガイド突起４ｄとガイド溝８との関係を示す模式図である。
【００１２】
レンズホルダ４は、その移動時には、軸受け部４ｃに挿通されるガイドシャフト５と、ガイド突起４ｄに係合するガイド溝８とにガイドされて移動する。なお、ガイドシャフト５とガイド溝８とによるガイド方向は、レンズホルダ４に保持されるコリメートレンズの光軸方向（図８のＸ方向が該当）と一致している。
【００１３】
ガイドシャフト５に遊嵌される与圧バネ（圧縮コイルバネ）６は、その一端がレンズホルダ４に当接し、他端が光ピックアップを構成するベースの壁に当接している。この与圧バネ６は、レンズホルダ４を、それが保持するコリメートレンズの光軸方向と平行な方向に付勢して、レンズホルダ４とリードナット３との当接が保たれるようにしている。
【００１４】
リードスクリュ２の回転により、リードナット３がステッピングモータ１から離れる方向に移動すると、レンズホルダ４はリードナット３によって押される。これにより、レンズホルダ４は、与圧バネ６の付勢力に反してステッピングモータ１から離れる方向に移動する。一方、リードナット３がステッピングモータ１に近づく方向に移動すると、レンズホルダ４は与圧バネ６の付勢力によって押され、リードナット３に当接しながらステッピングモータ１に近づく方向に移動する。
【００１５】
リターンスプリング７は、ステッピングモータ１に近づく方向に移動するリードナット３がリードスクリュ２のネジ部２ａから非ネジ部２ｂへと外れて（抜け落ちて）使用できなくなるのを防止するために設けられる。このリターンスプリング７は、板金を折り曲げ形成して得られる。なお、このリターンスプリングは、板バネでなくコイルバネで構成されることもある。
【００１６】
例えば、ステッピングモータ１の動作を制御する制御ソフトが誤動作を起こした場合等に、リードナット３がステッピングモータ１に接近する動作が止まらなくなることがある。このような場合に、リードナット３は、リードスクリュ２のネジ部２ａから一旦外れるが、制御ソフトが正常な状態に戻った場合に、リターンスプリング７の作用（弾性力）によってネジ部２ａへと復帰可能となっている。すなわち、リターンスプリング７は、上述の誤動作等が起こった場合でも、リードナット３がリードスクリュ２に食い付く（噛み込む）ことを防止しつつ（リードナット３が一旦脱落される効果による）、リードナット３がリードスクリュ２のネジ部２ａから非ネジ部２ｂへと外れて使用できなくなるという事態を防止する。
【００１７】
ところで、近年においては、光ピックアップは小型化される傾向にあり、そのベースに配置される部品はできる限り少なくすることが望まれている。この点を考慮して、特許文献１に開示されるように、リードナットにリターンスプリングと同様の機能を発揮するバネ部材を組み付けることが考えられる。しかしながら、リードナットは非常に小さな部材とされる傾向にあり、リードナットにバネ部材を組み付けるのは容易ではない。
【００１８】
また、リードナットにリターンスプリングと同様の機能を発揮するバネ構造を一体的に設けることも考えられる。しかし、このような構成は、リードナットを形成するための金型が複雑となったり（金型の抜き方向を一方向とし難い）、小型なリードナットを形成し難かったりする等の課題があり、従来実現されていない。
【００１９】
以上の点に鑑みて、本発明の目的は、ナット部材を用いてリードスクリュの回転を直線方向の動きに変換してレンズを移動させるレンズ駆動装置であって、部品点数を低減しつつ安定した動作が期待できるレンズ駆動装置を提供することである。また、本発明の他の目的は、そのようなレンズ駆動装置を備え、信頼性が高く、低コストな光ピックアップを提供することである。
【課題を解決するための手段】
【００２０】
上記目的を達成するために本発明のレンズ駆動装置は、リードスクリュの回転を該リードスクリュのネジ部に螺合するナット部材によって直線方向の動きに変換してレンズを移動させるレンズ駆動装置であって、前記ナット部材には、前記リードスクリュのネジ部から非ネジ部へと外れた前記ナット部材を前記ネジ部に復帰させる弾性部が一体成型されている構成（第１の構成）となっている。
【００２１】
本構成によれば、例えば制御ソフトの異常等によってネジ部からナット部材が脱落しても、異常が解消された後に、ナット部材に設けられる弾性部の作用によってリードナットがネジ部に復帰可能である。すなわち、本構成のレンズ駆動装置は、制御ソフトの異常解消によって元の状態に復帰可能な構成であり、安定した動作が期待できる。そして、ナット部材のネジ部への復帰を可能にする弾性部が、ナット部材に一体成型されているために、復帰用のバネ部材を別に準備する必要がなく、装置の低コスト化や小型化が期待できる。
【００２２】
上記第１の構成のレンズ駆動装置において、前記ナット部材は、前記ネジ部に係合するネジ孔部が形成された板状部と、前記板状部から延び出す延出部と、有し、前記板状部と前記延出部との接続部分近傍に、くびれ部が形成され、前記弾性部は、前記延出部が前記くびれ部で前記板状部に対して折り曲げられてなる構成（第２の構成）とするのが好ましい。
【００２３】
この構成では、ナット部材を、抜き方向が一方向の金型を用いて形成可能である。このために、ナット部材に弾性部を設けても金型の構成が複雑にならず、低コスト化が期待できる。また、一方向抜きの金型を使用可能とするための貫通孔を板状部に無駄に設ける必要がなく、ナット部材を小型化し易い。
【００２４】
上記第２の構成のレンズ駆動装置において、前記延出部は、延出方向が前記板状部の板状面と略平行な方向であるとともに、前記板状部と略平行な平板形状である構成（第３の構成）としてもよい。本構成によれば、ナット部材の構造を簡単なものとし易い。
【００２５】
また、上記第２の構成のレンズ駆動装置において、前記延出部は、延出方向が前記板状部の板状面と略平行な方向であるとともに、屈曲又は湾曲形状である構成（第４の構成）としてもよい。そして、この第４の構成のレンズ駆動装置においては、前記板状部には、前記延出部の折り曲げられた先端側を挿通する貫通孔が形成されている構成（第５の構成）とするのが好ましい。本構成では、弾性部を得るための延出部の折り曲げ状態が維持し易い。
【００２６】
上記目的を達成するために本発明は、上記第１から第５のいずれかの構成のレンズ駆動装置を備える光ピックアップである構成となっている。この光ピックアップは、光源と、前記光源から出射される光を光記録媒体の情報記録面に集光する対物レンズと、前記光源と前記対物レンズとの間の光路中に配置されるコリメートレンズと、を備え、前記レンズ駆動装置によって前記コリメートレンズの位置が移動される構成であってもよい。
【発明の効果】
【００２７】
本発明によれば、ナット部材を用いてリードスクリュの回転を直線方向の動きに変換してレンズを移動させるレンズ駆動装置であって、部品点数を低減しつつ安定した動作が期待できるレンズ駆動装置を提供可能である。また、本発明によれば、そのようなレンズ駆動装置を備えるために、信頼性が高く、低コストで製造可能な光ピックアップを提供できる。
【図面の簡単な説明】
【００２８】
【図１】本実施形態の光ピックアップの外観構成を示す概略斜視図
【図２】本実施形態の光ピックアップの光学構成を示す概略平面図
【図３】本実施形態の光ピックアップが備えるレンズ駆動装置の構成を示す概略平面図
【図４】本実施形態のレンズ駆動装置が備える第１形態のリードナットの構成を示す概略平面図
【図５】第１形態のリードナットが金型から取り出された状態を示す概略図
【図６】本実施形態のレンズ駆動装置が備える第２形態のリードナットの構成を示す概略平面図
【図７】第２形態のリードナットが金型から取り出された状態を示す概略図
【図８】本出願人の先行開発の光ピックアップが備えるレンズ駆動装置の構成を示す概略斜視図
【図９】先行開発の光ピックアップが備えるレンズ駆動装置における、ガイド突起とガイド溝との関係を示す模式図
【発明を実施するための形態】
【００２９】
以下、本発明のレンズ駆動装置が適用された光ピックアップの実施形態について、図面を参照しながら説明する。なお、本実施形態の光ピックアップは、ブルーレイディスク（ＢＤ）、デジタル多用途ディスク（ＤＶＤ）、コンパクトディスク（ＣＤ）といった３種類の規格の光ディスク（光記録媒体の一例）に対して情報の読み取りや書き込みを行うことが可能となっている。
【００３０】
図１は、本実施形態の光ピックアップ１０の外観構成を示す概略斜視図である。光ピックアップ１０を構成するピックアップベース１０１には、光源、光学部材、本発明のレンズ駆動装置、対物レンズアクチュエータ、光検出器（これらについては後述する）が搭載される。また、ピックアップベース１０１には、光ピックアップ１０の動作を制御する上で必要となる各種の回路基板や配線部材（いずれも不図示）等も取り付けられる。
【００３１】
なお、ピックアップベース１０１の左右の端部には軸受け部１０１ａ、１０１ｂが設けられている。ピックアップベース１０１は、この軸受け部１０１ａ、１０１ｂによって、光ディスク装置（光ディスクの再生や記録を行うための装置）に設けられるガイドシャフト（図示せず）に摺動可能に支持されることになる。そして、ガイドシャフトに対して摺動可能に設けられる光ピックアップ１０は、回転する光ディスクの所望のアドレスにアクセスして情報の読み取りや書き込みを行うことが可能となる。
【００３２】
図２は、本実施形態の光ピックアップ１０の光学構成を示す概略平面図である。光ピックアップ１０には、第１の半導体レーザ１１から出射される光を光ディスクの情報記録面に導くとともに、情報記録面で反射される反射光（戻り光）を光検出器２３に導く、ＢＤ用の光路が形成されている。また、光ピックアップ１０には、第２の半導体レーザ１８から出射される光を光ディスクの情報記録面に導くとともに、情報記録面で反射される反射光（戻り光）を光検出器２３に導く、ＤＶＤ及びＣＤ用の光路が形成されている。
【００３３】
なお、光ピックアップ１０においては、複数の光学部材が、ＢＤ用の光路と、ＤＶＤ及びＣＤ用の光路とで共用される構成となっている。このような構成を採用しているため、光ピックアップ１０は、ＢＤ、ＤＶＤ、及び、ＣＤに対応する光ピックアップを少ない部品点数で形成可能になっている。
【００３４】
まず、ＢＤ用の光路について説明する。第１の半導体レーザ１１は、ＢＤ用のレーザ光（例えば波長４０５ｎｍ帯のレーザ光）を出射可能になっている。第１の半導体レーザ１１から出射されたレーザ光は、回折素子１２によって主光と２つの副光とに分けられる。回折素子１２を経たレーザ光は偏光ビームスプリッタ１３によって反射され、１／４波長板１４及びコリメートレンズ１５を透過する。コリメートレンズ１５を透過したレーザ光は、第１の立ち上げミラー１６によって反射されて、第１の立ち上げミラー１６の上方にある第１の対物レンズ１７へと至る。
【００３５】
第１の対物レンズ１７は、入射したレーザ光を光ディスクの情報記録面に集光する機能を有する。第１の対物レンズ１７によって情報記録面に集光されたレーザ光は、情報記録面で反射される。この反射光（戻り光）は、第１の対物レンズ１７を通過後、第１の立ち上げミラー１６で反射され、コリメートレンズ１５、１／４波長板１４、偏光ビームスプリッタ１３、ビームスプリッタ１９を順に透過する。そして、ビームスプリッタ１９を透過した戻り光は、センサーレンズ２２によって非点収差を与えられて光検出器２３の所定の受光領域に集光される。
【００３６】
光検出器２３は、受光した光信号を電気信号に変換する光電変換手段として機能する。光検出器２３から出力された電気信号は図示しない信号処理部に送られ、この信号処理部で、再生信号、フォーカスエラー（ＦＥ）信号、トラッキングエラー（ＴＥ）信号等が生成される。
【００３７】
次に、ＤＶＤ及びＣＤ用の光路について説明する。第２の半導体レーザ１８は、ＤＶＤ用のレーザ光（例えば波長６５０ｎｍ帯のレーザ光）とＣＤ用のレーザ光（例えば波長７８０ｎｍ帯のレーザ光）とを切り換えて出射可能となっている。すなわち、第２の半導体レーザ１８は２種類の光源を含む構成となっている。このようなレーザ光源は、例えばモノリシックタイプ或いはハイブリッドタイプの２波長レーザによって構成できる。
【００３８】
第２の半導体レーザ１８から出射されたレーザ光は、ビームスプリッタ１９によって反射され、その後、偏光ビームスプリッタ１３、１／４波長板１４、コリメートレンズ１５、及び、第１の立ち上げミラー１６を順に透過する。第１の立ち上げミラー１６を透過したレーザ光は、第２の立ち上げミラー２０によって反射されて、第２の立ち上げミラー２０の上方にある第２の対物レンズ２１へと至る。
【００３９】
なお、偏光ビームスプリッタ１３は、ＢＤ用のレーザ光に作用する光学部材であり、ＤＶＤ用のレーザ光及びＣＤ用のレーザ光は、その偏光状態に関係なく透過する。また、第１の立ち上げミラー１６はダイクロイックミラーであり、ＢＤ用のレーザ光は反射されるが、ＤＶＤ用のレーザ光及びＣＤ用のレーザ光は透過可能となっている。
【００４０】
第２の対物レンズ２１は、入射したレーザ光を光ディスクの情報記録面に集光する機能を有する。第２の対物レンズ２１によって情報記録面に集光されたレーザ光は、情報記録面で反射される。この反射光（戻り光）は、第２の対物レンズ２１を通過後、第２の立ち上げミラー２０で反射され、第１の立ち上げミラー１６、コリメートレンズ１５、１／４波長板１４、偏光ビームスプリッタ１３、ビームスプリッタ１９を順に透過する。そして、ビームスプリッタ１９を透過した戻り光は、センサーレンズ２２によって非点収差を与えられて光検出器２３の所定の受光領域に集光される。
【００４１】
ＢＤ対応の場合と同様に、光検出器２３から出力された電気信号は図示しない信号処理部に送られ、この信号処理部で、再生信号、ＦＥ信号、ＴＥ信号等が生成される。
【００４２】
なお、コリメートレンズ１５は、詳細は後述するレンズ駆動装置によって、その光軸方向（図２のＸ方向）に移動可能となっている。そして、コリメートレンズ１５の位置は、光ピックアップ１０が対応する光ディスク種の変更やレイヤージャンプ等に応じて適宜移動される。
【００４３】
このようにコリメートレンズ１５を移動可能とするのは、対物レンズ１７、２１に入射する光の収束・発散度合いを調整して、球面収差の影響を適切に抑制できるようにするためである。例えばＢＤは、情報記録面を厚み方向に複数有する多層ディスクが一般的となっている。このため、ＢＤ対応の場合にはレイヤージャンプが行われるのが一般的であり、その際に球面収差を適切に補正することが必要になる。コリメートレンズ１５は、本発明のレンズ駆動装置によって移動されるレンズの一例である。
【００４４】
また、第１の対物レンズ１７及び第２の対物レンズ２１は、ピックアップベース１０１に取り付けられる対物レンズアクチュエータ４０（図１参照）に搭載された状態で、ピックアップベース１０１に搭載されることになる。対物レンズアクチュエータ４０は、光ピックアップ１０に備えられる２つの対物レンズ１７、２１をフォーカス方向（図１のＺ方向が該当）及びトラッキング方向（図１のＹ方向が該当）に移動可能とする装置である。
【００４５】
光ピックアップ１０においては、情報の読み取りや書き込みを行う際に、第１の対物レンズ１７（或いは第２の対物レンズ２１）の焦点位置が常に光ディスクの情報記録面に合うようにフォーカシング制御を行う必要がある。また、光ピックアップ１０においては、情報の読み取りや書き込みを行う際に、第１の対物レンズ１７（或いは第２の対物レンズ２１）によって光ディスクの情報記録面に集光される光スポットの位置が、光ディスクのトラックに常に追随するようにトラッキング制御を行う必要がある。対物レンズアクチュエータ４０は、例えば、これらフォーカシング制御及びトラッキング制御を行う際に駆動される。
【００４６】
対物レンズアクチュエータ４０は、対物レンズ１７、２１を保持するレンズホルダ４１を有し、レンズホルダ４１をワイヤ４２で揺動可能に支持する構成のものである。そして、コイル及び磁石を利用して発生させた力でレンズホルダ４１（すなわち対物レンズ１７、２１）を動かすものである。このようなタイプの対物レンズアクチュエータは公知であるので、ここでは、その構成に関する詳細な説明は省略する。
【００４７】
図３は、本実施形態の光ピックアップ１０が備えるレンズ駆動装置５０の構成を示す概略平面図である。レンズ駆動装置５０は、リードスクリュ２の回転をそのネジ部２ａに螺合するリードナット３によって直線方向の動きに変換し、コリメートレンズ１５をその光軸方向に移動（ピックアップベース１０１に対して相対移動）させる装置である。ピックアップベース１０１上に設けられるレンズ駆動装置５０は、図１の破線領域に内蔵される。
【００４８】
光ピックアップ１が備えるレンズ駆動装置５０の構成は、上述した先行開発の光ピックアップが備えるレンズ駆動装置１００（図８参照）の構成と概ね同様である。このために、本実施形態のレンズ駆動装置５０のうち、上述したレンズ駆動装置１００と重複する部分については同一の符号を付し、特に必要がない場合には、その説明を省略する。
【００４９】
なお、レンズ駆動装置５０が備えるモータ１は、ステッピングモータが好ましいが、場合によってはＤＣモータ等でもよい。モータ１をＤＣモータとする場合には、例えばエンコーダを利用することでレンズホルダ４の位置を把握可能である。また、ネジ部２ａと非ネジ部２ｂとを有するリードスクリュ２は、本発明のリードスクリュの一例である。
【００５０】
また、レンズ駆動装置５０においては、ガイドシャフト５、及び、ガイド溝８（ピックアップベース１０１の壁に設けられる）によってガイド機構を形成しているが、本発明のレンズ駆動装置は、この構成に限定されるものではない。前述の構成に代えて、例えば、２本のガイドシャフトによってガイド機構を形成する構成が採用されても構わない。
【００５１】
本実施形態のレンズ駆動装置５０は、その詳細は後述するが、先行開発の光ピックアップが備えるレンズ駆動装置１００とは異なる構成のリードナット３を備える。このリードナット３は、例えばポリアセタール（ＰＯＭ）等の弾性変形可能な樹脂によって形成される。そして、このリードナット３には、リードスクリュ２のネジ部２ａから非ネジ部２ｂ（モータ１側の非ネジ部）へと外れたリードナット３をネジ部２ａに復帰させる弾性部３２が一体成型されている。以下、このリードナット３の詳細構成について、２つの形態を例示する。
【００５２】
なお、リードナット３は、本発明のナット部材の一例である。また、上述のように、レンズ駆動装置５０が備えるリードナット３には、ネジ部２ａから脱落したリードナット３をネジ部２ａに復帰させる復帰機構として機能する弾性部３１が含まれる。このために、レンズ駆動装置５０においては、先行開発のレンズ駆動装置１００において設けられたリターンスプリング７（図８参照）が不要になっている。
【００５３】
（第１形態のリードナット）
図４は、本実施形態のレンズ駆動装置５０が備える第１形態のリードナット３の構成を示す概略平面図で、図４（ａ）は正面図、図４（ｂ）は側面図である。なお、図４（ｂ）の破線部分は、本来は見えない部分である。
【００５４】
図４に示すように、リードナット３は、リードスクリュ２のネジ部２ａに係合するネジ孔部３１ａが形成された板状部３１を有する。ネジ孔部３１ａは平面視略円形状の貫通孔であって、その内面には、ネジ部２ａと噛み合うネジ山（図示せず）が形成されている。板状部３１には、リードスクリュ２の回転とともにリードナット３自身が回転するのを防止するための回転防止部３１ｂも形成されている。このため、板状部３１は、平面視「逆凸の字」状となっている。
【００５５】
なお、回転防止部３１ｂは、その大部分がピックアップベース１０１に設けられる係合溝（図示せず；図３のリードスクリュ２の下側に形成される）に嵌り込む。係合溝は、回転防止部３１ｂの幅（図４（ａ）の左右方向の長さ）と略同一に形成されている（正確には若干大きく形成されている）ために、リードナット３の回転が防止される。
【００５６】
また、リードナット３は、板状部３１と一体的に設けられる一対の弾性部３２を有する。一対の弾性部３２は、板状部３１の板面に対して略直交する方向に沿って見た場合に、左右の端部側において板状部３１と重なるように形成されている。一対の弾性部３２は、板状部３１の一端（図４では上端）から斜め方向（斜め下方向）に直線的に延び出しており、その端部は板状部３１の板面から所定の距離離れている。
【００５７】
図５を参照して、このようなリードナット３の形成方法について説明する。なお、図５は、第１形態のリードナットが金型から取り出された状態を示す概略図で、図５（ａ）は平面図、図５（ｂ）は図５（ａ）のＡ−Ａ位置における断面図である。
【００５８】
まず、リードナット３は、一方向抜きの金型を用いて樹脂成型される。図５に示すように、この時点においては上述の弾性部３２は形成されていない。金型から取り出されたリードナット３は、上述の板状部３１と、板状部３１の一側面から延び出す一対の延出部３２´とを備える。なお、一対の延出部３２´は後述のように折り曲げられて弾性部３２となる部分である。
【００５９】
延出部３２´の延出方向は、板状部３１の板状面と略平行な方向である。延出部３２´は、板状部３１と略平行な平板形状であり、また、図５（ａ）に示すように平面視略矩形状である。延出部３２´の厚みは、特に限定されるものではないが、本形態では板状部３１の厚みより薄くなっている。図５（ｂ）に示すように、板状部３１と延出部３２´との接続部分近傍に、他の部分に比べて厚みが薄くなる、くびれ部（薄厚部）３３が形成されている。くびれ部３３の幅（図５（ａ）の左右方向の長さ）は、延出部３２´の幅と同じである。
【００６０】
延出部３２´が、このくびれ部３３を利用して板状部３１に重なる方向に折り曲げられる（図５（ｂ）の矢印方向に折り曲げられる）ことにより、上述の弾性部３２が得られる。なお延出部３２´が折り曲げられた状態は、くびれ部３３近傍に接着剤を塗付することによって維持される。
【００６１】
このように形成されたリードナット３は、図３に示すように、弾性部３２が設けられる側がモータ１と対向する姿勢とされて、リードスクリュ２を回転しながらリードスクリュ２の先端側から取り付けられる。
【００６２】
例えば制御ソフトの誤動作等によって、リードスクリュ２がリードナット３をモータ１に近づける方向に回転し続ける場合について説明する。この場合、リードナット３は、リードスクリュ２の回転によりモータ１に接近し、リードナット３の弾性部３２がモータ１に当接する。このため、リードナット３は、弾性部３２の作用によってその進行方向（モータ１に近づく方向）とは逆向きの力を受けることになるが、リードスクリュ２が回転を続けるために更にモータ１に接近して非ネジ部２ｂへと脱落する。
【００６３】
なお、リードナット３の弾性部３２の弾性力は、異常動作を続けるリードスクリュ２の回転によってリードナット２がネジ部２ａから脱落するように調整されている。これは、リードスクリュ２のネジ部２ａとリードナット３との間で食い付き（噛み込み）が生じるのを防止するためである。
【００６４】
リードスクリュ２が異常動作を続けている間は、リードナット３はリードスクリュ２のネジ部２ａから外れて非ネジ部２ｂに存在する。この間、リードナット３の弾性部３２は弾性変形を起こし弾性力を発生した状態である。異常状態が解消されると、リードナット３は、弾性部３２の弾性力によってネジ部２ａ側に押される。このために、リードナット３がモータ１から離れる方向の回転をリードスクリュ２に与えることにより、リードナット３はネジ部２ａと噛み合った状態になる（ネジ部２ａに復帰する）。
【００６５】
以上のように、本実施形態では、先行開発のレンズ駆動装置１００が有するリターンスプリング７（図８参照）を抹消して、非ネジ部２ｂへと脱落したリードナット３をネジ部２ａへと復帰させられる。このために、レンズ駆動装置５０は、リードナット３がリードスクリュ２に食い付く可能性を低減して安定した動作を行う構成を、部品点数を削減して実現でき、装置の低コスト化や小型化が期待できる。また、弾性部３２を一体成型したリードナット３を一方向抜きの金型を用いて形成できるために、リードナット３２に弾性部３２を設けたことによる金型のコスト上昇は避けられる。また、弾性部３２はくびれ部３３を利用した折り曲げによって得られる構成としているために、一方向抜きの金型を使用可能とするための貫通孔を板状部３１に無駄に設ける必要がなく、リードナット３１を小型化し易い。
【００６６】
（第２形態のリードナット）
次に、第２形態のリードナット３について説明する。図６は、本実施形態のレンズ駆動装置５０が備える第２形態のリードナット３の構成を示す概略平面図で、図６（ａ）は正面図、図６（ｂ）は側面図である。なお、図６（ｂ）の破線部分は、本来は見えない部分である。また、第１形態のリードナット３と重複する部分については、その説明を適宜省略する。
【００６７】
図６に示すように、リードナット３は、ネジ孔部３１ａと回転防止部３１ｂとが形成された、平面視「逆凸の字」状の板状部３１を有する。また、リードナット３は、板状部３１と一体的に設けられる一対の弾性部３２を有する。一対の弾性部３２は、板状部３１の板面に対して略直交する方向に沿って見た場合に、左右の端部側において板状部３１と重なるように形成されている。
【００６８】
一対の弾性部３２は、板状部３１の一端（図６では上端）から斜め方向（斜め下方向）に直線的に延び出すとともに、途中で板状部３１に向けて屈曲している。そして、一対の弾性部３２のそれぞれは、先端側が板状部３１に設けられる貫通孔３１ｃ（２つ設けられる；本発明の貫通孔の一例）に挿通されている。
【００６９】
なお、一対の貫通孔３１ｃは、板状部３１を二等分する対称線を基準として対称配置されている。貫通孔３１ｃの形状は特に限定されるものではないが、ここでは平面視略矩形状とされている。
【００７０】
図７を参照して、このようなリードナット３の形成方法について説明する。なお、図７は、第２形態のリードナットが金型から取り出された状態を示す概略図で、図７（ａ）は平面図、図７（ｂ）は図７（ａ）のＢ−Ｂ位置における断面図である。
【００７１】
まず、第２形態のリードナット３も第１形態同様に、一方向抜きの金型を用いて樹脂成型される。図７に示すように、この時点においては上述の弾性部３２は形成されていない。金型から取り出されたリードナット３は、上述のネジ孔部３１ｂ、回転防止部３１ｂ及び貫通孔３１ｃを含む板状部３１と、板状部３１の一側面から延び出す一対の延出部３２´とを備える。なお、一対の延出部３２´は後述のように折り曲げられて弾性部３２となる部分である。
【００７２】
延出部３２´の延出方向は、板状部３１の板状面と略平行な方向である。延出部３２´は、図７（ｂ）に示すように断面視略Ｖ字状の屈曲形状（上向きに屈曲している）であり、また、図７（ａ）に示すように平面視略矩形状である。延出部３２´の厚みは、特に限定されるものではないが、板状部３１の厚みより薄くなっている。図７（ｂ）に示すように、板状部３１と延出部３２´との接続部分近傍には、第１形態と同様のくびれ部３３が形成されている。
【００７３】
延出部３２´が、このくびれ部３３を利用して板状部３１に重なる方向に折り曲げられる（図７（ｂ）の矢印方向に折り曲げられる）とともに、延出部３２´の先端側が板状部３１の貫通孔３１ｃに挿通されることにより、上述の弾性部３２が得られる。なお延出部３２´が折り曲げられた状態は、その先端側が貫通孔３１ｃに挿通されているために、くびれ部３３近傍に接着剤を塗付しなくても維持される。ただし、第１形態同様に、くびれ部３３に接着剤が塗付されてもよい。
【００７４】
このように形成された第２形態のリードナット３のリードスクリュ２への取り付け、及び、その作用効果は第１形態と同様であるために、その説明は省略する。なお、第２形態では、延出部３２´が屈曲形状とされたが、それに代えて、延出部３２´は湾曲形状であっても構わない。
【００７５】
以上に示した実施形態は本発明の例示であり、本発明の適用範囲は、以上に示した実施形態の構成に限定されるものではない。
【００７６】
例えば、以上に示したリードナット３の形状は例示にすぎず、その形状は適宜変更されてよい。弾性部３２の弾性力は、例えば延出部３２´の長さや厚み、弾性部３２を得るための延出部３２´の折り曲げ角度等によって変わるものである。必要な弾性力が得られるように、延出部３２´やくびれ部３３の構成は適宜変更してよい。また、弾性部３２の配置方向は、以上に示した実施形態の構成（上下方向）から例えば９０°回転した構成（左右方向）等としても構わない。
【００７７】
また、以上に示した実施形態では、リードナット３の弾性部３２がモータ１と当接する構成としたが、弾性部３２がピックアップベース１０１の壁に当接する構成等としても構わない。また、レンズホルダ４を基準として、リードナット３と与圧バネ６（図３参照）との位置関係が逆とされる構成も可能であり、この場合には、リードナット３は、弾性部３２がモータ１とは反対方向に向く姿勢とされればよい。
【００７８】
また、以上に示した実施形態では、レンズ駆動装置５０を構成するベースがピックアップベース１０１である構成とした。しかし、この構成に限らず、レンズ駆動装置５０を構成するベースをピックアップベース１０１とは別に設けて、これをピックアップベース１０１に取り付けるようにしても構わない。
【００７９】
また、以上に示した実施形態では、レンズ駆動装置５０によって移動されるレンズがコリメートレンズ１５である場合を示した。しかし、本発明の適用範囲はこの構成に限らず、他のレンズが移動される場合にも本発明は適用可能である。例えば、球面収差の補正を行うためにビームエキスパンダーが使用される場合に、これに対して本発明のレンズ駆動装置を適用することも可能である。また、本発明のレンズ駆動装置は、光ピックアップに限らず、例えばカメラ等の他の光学装置にも適用可能である。
【００８０】
また、以上に示した実施形態では、光ピックアップ１０はＢＤ、ＤＶＤ、ＣＤに対応する構成とした。しかしながら、本発明は、光ピックアップが対応可能な光ディスクの種類が、以上に示した実施形態以外の場合（対応可能な光ディスクの種類が複数の場合ばかりでなく単数の場合も含む）でも適用できるのは当然である。
【産業上の利用可能性】
【００８１】
本発明のレンズ駆動装置は、例えば光ピックアップ等の光学装置に好適である。
【符号の説明】
【００８２】
２  リードスクリュ
２ａ  ネジ部
２ｂ  非ネジ部
３  リードナット（ナット部材）
１０  光ピックアップ
１１  第１の半導体レーザ（光源）
１５  コリメートレンズ（レンズ）
１７  第１の対物レンズ
１８  第２の半導体レーザ（光源）
２１  第２の対物レンズ
３１  板状部
３１ａ  ネジ孔部
３１ｃ  貫通孔
３２  弾性部
３２´  延出部
３３  くびれ部
５０  レンズ駆動装置
【図１】
2013025842.tif 000003
【図２】
2013025842.tif 000004
【図３】
2013025842.tif 000005
【図４】
2013025842.tif 000006
【図５】
2013025842.tif 000007
【図６】
2013025842.tif 000008
【図７】
2013025842.tif 000009
【図８】
2013025842.tif 000010
【図９】
2013025842.tif 000011